(57)【要約】【課題】  コストの低減を可能したプラスチックレンズを提供する。【解決手段】  このプラスチックレンズ１は、インサート成形によって遮光レンズ枠２内にレンズ部３を一体成形して構成される製品を前提とした発明である。インサート成形により、遮光レンズ枠２にレンズ部３を組み付けているので、遮光レンズ枠２における光入射規制窓１２のセンターとレンズ部３の光軸Ｌとの心出しが極めて高い精度で実現され、コストの低減を招来する。さらに、レンズ部３には、光軸Ｌを中心とした環状なクビレ部１４が設けられ、遮光レンズ枠２には、このクビレ部１４内に挿入された凸部１１が設けられているので、凹凸嵌合によって、遮光レンズ枠２からレンズ部３が簡単に脱落してしまうことが防止され、使用時において遮光レンズ枠２内でレンズ部３が位置ズレを起こすことをも防止する。【選択図】  図１
2005084328.tif 000002
【特許請求の範囲】
【請求項１】
インサート成形によって、遮光レンズ枠内にレンズ部を一体成形してなるプラスチックレンズであって、
前記レンズ部には、光軸を中心とした環状なクビレ部が設けられ、前記遮光レンズ枠には、前記クビレ部を成形する凸部が設けられ、前記凸部の先端によって光入射規制窓を画成することを特徴とするプラスチックレンズ。
【請求項２】
前記レンズ部の光入射面の周囲において、前記遮光レンズ枠には、前記光軸に対して直交するように、前記レンズ部の前記光入射面の端部から連続して外方に向けて延在する遮光面が設けられていることを特徴とする請求項１記載のプラスチックレンズ。
【請求項３】
前記レンズ部の光入射面の周囲において、前記遮光レンズ枠には、前記光軸に対し所定の傾斜角をもって、前記レンズ部の前記光入射面の端部から連続して外方に向けて延在する遮光面が設けられていることを特徴とする請求項１記載のプラスチックレンズ。
【請求項４】
前記レンズ部の光入射面の周囲において、前記レンズ部には、前記光軸に沿うように、前記レンズ部の前記光入射面の端部から連続して光出射面側に向けて延在する拡張面が設けられていることを特徴とする請求項１記載のプラスチックレンズ。
【請求項５】
前記レンズ部の光入射面の周囲において、前記レンズ部には、前記光軸に対して直交するように、前記レンズ部の前記光入射面の端部から連続して外方に向けて延在する拡張面が設けられていることを特徴とする請求項１記載のプラスチックレンズ。
【発明の詳細な説明】
【技術分野】
【０００１】
本発明は、特に、携帯電話、デジタルカメラなどの携帯情報端末機器に利用するためのプラスチックレンズに関するものである。
【背景技術】
【０００２】
従来、このような分野の技術として、特開平１０−０４１４９２号公報がある。この公報に記載されたプラスチックレンズは、プラスチック製のレンズ部と、このレンズ部の保護及び遮光を目的とした円筒状の遮光レンズ枠とからなり、この遮光レンズ枠には、円形の光入射規制窓が形成されている。このようなプラスチックレンズは、透明なレンズ部と不透明な遮光レンズ枠との２部品から構成され、レンズ部を遮光レンズ枠内に嵌め込み、遮光レンズ枠の光入射規制窓からレンズ部の光入射面が覗き出るように組み立てられている。
【０００３】
【特許文献１】特開平１０−０４１４９２号公報
【特許文献２】特開２００２−２９０７９２号公報
【発明の開示】
【発明が解決しようとする課題】
【０００４】
しかしながら、前述した従来のプラスチックレンズは、遮光レンズ枠にレンズ部を嵌め込むことで組み立てられるので、遮光レンズ枠の光入射規制窓のセンターとレンズ部の光軸との心出しが極めて難しく、遮光レンズ枠及びレンズ部に高い加工精度が要求され、コスト高を招来する。特に、直径５ミリにも満たないようなレンズ部をもったプラスチックレンズの場合、組立作業性が極めて悪いことが、コスト高を招来する要因にもなる。
【０００５】
本発明は、特に、コストの低減を可能したプラスチックレンズを提供することを目的とする。
【課題を解決するための手段】
【０００６】
本発明に係るプラスチックレンズは、インサート成形によって、遮光レンズ枠内にレンズ部を一体成形してなるプラスチックレンズであって、レンズ部には、光軸を中心とした環状なクビレ部が設けられ、遮光レンズ枠には、クビレ部を成形する凸部が設けられ、凸部の先端によって光入射規制窓を画成することを特徴とする。
【０００７】
このプラスチックレンズは、インサート成形によって遮光レンズ枠内にレンズ部を一体成形して構成される製品を前提とした発明である。インサート成形により、遮光レンズ枠にレンズ部を組み付けているので、遮光レンズ枠における光入射規制窓のセンターとレンズ部の光軸との心出しが極めて高い精度で実現され、コストの低減を招来する。さらに、レンズ部には、光軸を中心とした環状なクビレ部が設けられ、遮光レンズ枠には、このクビレ部内に挿入された凸部が設けられているので、凹凸嵌合によって、遮光レンズ枠からレンズ部が簡単に脱落してしまうことが防止され、使用時において遮光レンズ枠内でレンズ部が位置ズレを起こすことをも防止する。そして、このような凸部は、光入射規制窓の画成にも利用され、特に、直径１０ｍｍにも満たないようなレンズ部をもった小型のプラスチックレンズへの適用に優れた効果を発揮する。
【０００８】
また、レンズ部の光入射面の周囲において、遮光レンズ枠には、光軸に対して直交するように、レンズ部の光入射面の端部から連続して外方に向けて延在する遮光面が設けられていると好適である。インサート成形の際、レンズ部の光入射面の周囲において、遮光レンズ枠にレンズ成形材料が付着すると、この付着部分で光の反射が起こり、光学的なフレア現象などを引き起こす虞がある。そこで、遮光レンズ枠の遮光面は、光軸に対して直交するように、レンズ部の光入射面の端部から連続して外方に向けて延在されるので、遮光面にレンズ成形材料が付着することによって、この遮光面で光の反射が例え起きても、光入射面への影響を極めて少なくすることができる。
【０００９】
また、レンズ部の光入射面の周囲において、遮光レンズ枠には、光軸に対し所定の傾斜角をもって、レンズ部の光入射面の端部から連続して外方に向けて延在する遮光面が設けられていると好適である。インサート成形の際、レンズ部の光入射面の周囲において、遮光レンズ枠にレンズ成形材料が付着すると、この付着部分で光の反射が起こり、光学的なフレア現象などを引き起こす虞がある。そこで、遮光レンズ枠の遮光面は、光軸に対し所定の傾斜角をもって、レンズ部の光入射面の端部から連続して外方に向けて延在されるので、遮光面にレンズ成形材料が付着することによって、この遮光面で光の反射が例え起きても、光入射面への影響を極めて少なくすることができる。
【００１０】
また、レンズ部の光入射面の周囲において、レンズ部には、光軸に沿うように、レンズ部の光入射面の端部から連続して光出射面側に向けて延在する拡張面が設けられていると好適である。インサート成形の際、レンズ部の光入射面の周囲において、遮光レンズ枠にレンズ成形材料が付着すると、この付着部分で光の反射が起こり、光学的なフレア現象などを引き起こす虞がある。そこで、レンズ部には、光軸に沿うように、レンズ部の光入射面の端部から連続して光出射面側に向けて延在する拡張面が設けられているので、光入射面と遮光レンズ枠とをこの拡張面によって適切に離間させることができ、光入射面近傍で遮光レンズ枠の表面にレンズ成形材料が付着し、この付着部分で光の反射が例え起きても、光入射面への影響を極めて少なくすることができる。
【００１１】
また、レンズ部の光入射面の周囲において、レンズ部には、光軸に対して直交するように、レンズ部の光入射面の端部から連続して外方に向けて延在する拡張面が設けられていると好適である。インサート成形の際、レンズ部の光入射面の周囲において、遮光レンズ枠にレンズ成形材料が付着すると、この付着部分で光の反射が起こり、光学的なフレア現象などを引き起こす虞がある。そこで、レンズ部には、光軸に対して直交するように、レンズ部の光入射面の端部から連続して外方に向けて延在する拡張面が設けられているので、光入射面と遮光レンズ枠とをこの拡張面によって適切に離間させることができ、光入射面近傍で遮光レンズ枠の表面にレンズ成形材料が付着し、この付着部分で光の反射が例え起きたとしても、光入射面への影響を極めて少なくすることができる。
【発明の効果】
【００１２】
本発明によれば、コストの低減を可能する。
【発明を実施するための最良の形態】
【００１３】
以下、図面を参照しつつ本発明に係るプラスチックレンズの好適な実施形態について詳細に説明する。なお、第1〜第４の実施形態において、同一又は同等な構成部分には同一符号を付す。
【００１４】
[第1の実施形態]
図１に示すように、プラスチックレンズ１は、携帯電話、デジタルカメラなどの携帯情報端末機器に利用され、直径が５〜１０ｍｍ程度の小型であり、さらなる小型化とさらなる高精度化が求められている。このようなプラスチックレンズ１は、黒色のプラスチックからなる筒状の遮光レンズ枠２と、この遮光レンズ枠２内に装填された透明なプラスチック製レンズ部３とからなる。そして、このプラスチックレンズ１は、インサート成形によって遮光レンズ枠２内にレンズ部３を一体成形してなる。
【００１５】
例えば、遮光レンズ枠２をインサート部品として金型４の下型部５内に装填した後、上型部６の型閉じによって作り出されるキャビティ内に透明なプラスチック材を注入し、成形品を金型４内で硬化させた後、型開きによってプラスチックレンズ１が外部に取り出される。なお、レンズ部３の光入射面（レンズ有効面）３ａを極めて高い精度で成形する必要性と、光入射面（レンズ有効面）３ａの設計変更に対応できる融通性とを同時に満足させるために、この金型４には、レンズ駒７が採用されている。
【００１６】
金型４内に装填される遮光レンズ枠２の上端には、外から内に向かって水平方向に突出する環状な凸部１１が設けられている。この遮光レンズ枠２の上端側には、凸部１１の先端によって円形の光入射規制窓１２が画成され、遮光レンズ枠２の基端側には、円形の開口部１３が形成されている。このような遮光レンズ枠２をインサート部品として利用する結果、遮光レンズ枠２の凸部１１によってレンズ部３にクビレ部１４が成形される。そして、プラスチックレンズ１を製品として見た場合に、レンズ部３には、光軸Ｌを中心とした環状なクビレ部１４が設けられ、このクビレ部１４内に凸部１１が確実に装填され、レンズ部３の光入射面３ａは、凸部１１から外方に向けて膨出するように形成されている。
【００１７】
このような構成のプラスチックレンズ１は、小型であればあるほどインサート成形の利用が効果的である。例えば、レンズ部と遮光レンズ枠とを別々に成形したものを、ピンセットなどを利用して一体的に組み立てる場合、レンズ部のクビレ部内に遮光レンズ枠の凸部を挿入させ難く、例え挿入できたとしても、クビレ部内に凸部がしっかりと挿入されているか否かの確認が難しい。しかも、遮光レンズ枠における光入射規制窓のセンターとレンズ部の光軸との心合わせが極めて難しい。
【００１８】
これに対し、本発明のプラスチックレンズ１は、インサート成形により、遮光レンズ枠２とレンズ部３とを一体成形して作り出されるので、遮光レンズ枠２の光入射規制窓１２のセンターとレンズ部３の光軸Ｌとの心出しが極めて高い精度で実現され、コストの低減を招来する。さらに、レンズ部３側のクビレ部１４と遮光レンズ枠２側の凸部１１との協働により、遮光レンズ枠２からレンズ部３が脱落し難くなり、使用時において、遮光レンズ枠２内でレンズ部３が位置ズレを起こすことをも防止する。
【００１９】
さらに、インサート成形の際、レンズ部３における光入射面３ａの周囲において、遮光レンズ枠２にレンズ成形材料が付着してバリとして形成されると、この付着部分で光の反射が起こり、光学的なフレア現象などを引き起こす虞がある。そこで、遮光レンズ枠２の遮光面２０は、光軸Ｌに対して直交するように、レンズ部３の光入射面３ａの端部から連続して外方に向けて延在するので、遮光面２０にレンズ成形材料が付着することによって、この遮光面２０で光の反射が例え起きても、光入射面３ａへの影響を極めて少なくすることができる。この遮光面２０は、凸部１１の上面の一部として形成され、インサート成形時のバリ対策として効果を発揮する。
【００２０】
[第２の実施形態]
図２に示しように、プラスチックレンズ３１において、遮光レンズ枠２Ａの遮光面３０は、光軸Ｌに対し所定の傾斜角αをもって、レンズ部３Ａの光入射面３ａの端部から連続して外方に向けて延在しているので、遮光面３０にレンズ成形材料が付着することによって、この遮光面３０で光の反射が例え起きても、光入射面３ａへの影響を極めて少なくすることができる。この遮光面３０は、凸部１１の上面の一部として形成され、インサート成形時のバリ対策として効果を発揮する。
【００２１】
[第３の実施形態]
図３に示しように、プラスチックレンズ４１において、レンズ部３Ｂには、光軸Ｌに沿うように、レンズ部３の光入射面３ａの端部から連続して光出射面３ａ側に向けて延在する拡張面４０が設けられているので、光入射面３ａと遮光レンズ枠２Ｂとをこの拡張面４０によって適切に離間させることができ、光入射面３ａ近傍で遮光レンズ枠２Ｂの表面にレンズ成形材料が付着して、この付着部分で光の反射が例え起きても、光入射面３ａへの影響を極めて少なくすることができる。この拡張面４０は、凸部１１の上面から鉛直に突出するように配置され、インサート成形時のバリ対策として効果を発揮する。
【００２２】
[第４の実施形態]
図４に示しように、プラスチックレンズ５１において、レンズ部３Ｃには、光軸Ｌに対して直交するように、レンズ部３Ｃの光入射面３ａの端部から連続して外方に向けて延在する拡張面５０が設けられているので、光入射面３ａと遮光レンズ枠２Ｃとをこの拡張面５０によって適切に離間させることができ、光入射面３ａ近傍で遮光レンズ枠２Ｃの表面にレンズ成形材料が付着して、この付着部分で光の反射が例え起きても、光入射面３ａへの影響を極めて少なくすることができる。この拡張面５０は、凸部１１の傾斜した上面から水平に突出するように配置され、インサート成形時のバリ対策として効果を発揮する。
【００２３】
本発明は前述した実施形態に限定されるものではない。例えば、遮光レンズ枠２，２Ａ，２Ｂ，２Ｃは、表面に反射防止加工が施されたアルミなどの金属であってもよい。
【図面の簡単な説明】
【００２４】
【図１】本発明に係るプラスチックレンズの第1の実施形態を示す断面図である。
【図２】本発明に係るプラスチックレンズの第２の実施形態を示す断面図である。
【図３】本発明に係るプラスチックレンズの第３の実施形態を示す断面図である。
【図４】本発明に係るプラスチックレンズの第４の実施形態を示す断面図である。
【符号の説明】
【００２５】
１，３１，４１，５１…プラスチックレンズ、２，２Ａ，２Ｂ，２Ｃ…遮光レンズ枠、３，３Ａ，３Ｂ，３Ｃ…レンズ部、３ａ…光入射面、１１…凸部、１２…光入射規制窓、１４…クビレ部、２０，３０…遮光面、４０，５０…拡張面、Ｌ…光軸。
【図１】
2005084328.tif 000003
【図２】
2005084328.tif 000004
【図３】
2005084328.tif 000005
【図４】
2005084328.tif 000006